【事件の表示】
　平成　７年特許願第１９２９０１号「インデックスプリント作成方法」拒絶査定不服審判事件〔平成　９年　２月１４日出願公開、特開平　９−　４３７３６〕について、次のとおり審決する。
【結　論】
　本件審判の請求は、成り立たない。
【理　由】
１．手続の経緯・本願発明
　本願は、平成７年７月２８日の出願であって、その請求項１に係る発明（以下、「本願発明」という。）は、平成１５年６月２３日付けの手続補正書により補正された明細書及び図面の記載からみて、その特許請求の範囲の請求項１に記載された次のとおりのものと認める。
　「写真フィルムの画像をマトリクス状に配列して感光材料へ焼付露光してインデックスプリントを作成するインデックスプリント作成方法において、
　予め定められた前記写真フィルム上の画像が記録されるべき全ての画像コマ領域内の画像情報を用いて作成されるインデックスプリントを構成し、
　前記作成されるインデックスプリントの各画像に対応して、少なくともプリントの有無を含むプリント情報を記録すること、
　を特徴とするインデックスプリント作成方法。」
　
２．引用文献
　これに対して原査定の拒絶の理由に引用された引用文献１（特開平７−１８４１０１号公報）には、
　「本発明はこのような事情に鑑みてなされたもので、イメージセンサとしてラインセンサを使用することによりコストの低減を図るとともに、ラインセンサを使用した場合に生じる各コマの撮影条件に応じた画像データの補正も迅速に行うことができるフイルム画像入力方法及び装置を提供することを目的とする。また、本発明はインデックス画像を短時間で作成することができ、そのインデックス画像を見ながら一連の画像に対する編集作業を容易に行うことができるフイルム画像入力方法及び装置を提供することを目的とする。」（段落【０００９】）、
　「更に、予めフイルムを連続給送することにより取り込んだ全コマの画像データに基づいて複数コマのインデックス画像を作成し、そのインデックス画像を示す画像信号をモニタＴＶに出力することによりインデックス画像をモニタＴＶに表示できるようにしている。そして、このモニタＴＶに表示されたインデックス画像を見ながら各コマの表示方法を含む設定を行うとともに、その設定を示す設定データを記憶し、これによりコマ毎の編集作業をまとめて行うようにしている。その後、所望のコマの画像データに基づく１コマの再生時には、上記のようにして編集した当該コマの設定データを読み出し、その設定データに対応して画像処理した画像信号をモニタＴＶに出力するようにしている。」（段落【００１４】）、
　「【００４２】即ち、キーパッド１２０は、図１に示すように上下左右の各キー１２１〜１２４、「ＵＰ」キー１２５、「ＤＯＵＮ」キー１２６、「Ｅxecute」キー１２７、「Ｃancel」キー１２８の８キーから構成されている。さて、ＣＰＵ１６０は、図９に示すように２０コマ分のインデックス画像とともに各種の設定メニューを示す文字をモニタＴＶ１０９に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
【００４３】上記メニューの選択は、キーパッド１２０の「ＵＰ」，「ＤＯＵＮ」キー１２５、１２６を使用して実行したいメニューの位置にカーソル（他のメニューと色を変えて区別する）を移動させ、「Ｅxecute」キー１２７を押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１２０の上下左右のキー１２１〜１２４を操作することによって行うことができる。
【００４４】いま、図９に示すように「ＳＫＰＳ」にカーソルを合わせて「Ｅxecute」キー１２７を押すと、スキップ設定メニューとなる。このスキップ設定メニューにおいて、例えばコマ番号１のコマを非表示コマとして設定する場合には、編集対象のコマとしてコマ番号１のコマを選択し、「ＵＰ」キー１２５を押す。これにより、コマ番号１のコマ内には「ＳＫＩＰ」の文字が表示される。そして、「Ｅxecute」キー１２７を押すと、表示バッファＭ２のコマ番号１に対応する記憶領域はクリア色で塗りつぶされるとともに、非表示コマのコマ番号１を示すデータがＣＰＵ１６０のＲＡＭ１６０Ａに記憶される。尚、ＣＣＤバッファＭ１上では画像データはそのままの状態になっているため、「ＤＯＷＮ」キー１２６を押し、コマ番号１のコマ内に「ＶＩＥＷ」の文字を表示したのち、「Ｅxecute」キー１２７を押すと、表示バッファＭ２のコマ番号１に対応する記憶領域にはコマ番号１に対応する画像データがＣＣＤバッファＭ１から転送され、これによりコマ表示が行われるとともに、ＲＡＭ１６０Ａに記憶された非表示コマのコマ番号１を示すデータがクリアされる。このようにして、表示／非表示コマの設定が行われる。尚、「Ｃancel」キー１２８によって設定内容をキャンセルすることもできる。」（段落【００４２】〜【００４４】）
が記載されている。
　同じく原査定の拒絶の理由に引用された引用文献２（特開平６−１５３１２８号公報）には、
　「本発明は、撮影情報等が磁気記録された現像済みフイルムからインデックス写真を作成する方法に関するものである。」（段落【０００１】）、
　「【０００７】本発明はこのような問題点を解決するためになされたものであり、現像済フイルムに各コマの画像を撮影した順と同じ配列でマトリックス状に配置するようにしたインデックス写真の作成方法を提供することを目的とする。
【０００８】
【課題を解決するための手段】上記問題点を解決するために、本発明は、写真フイルムの画像を撮像して第１のメモリに記憶し、この第１のメモリから読み出したビデオ信号を磁気記録層から読み出した撮影情報に応じて画像処理した後に、写真フイルムに各コマの画像を撮影した順と同じ配列で第２のメモリに書込み、この第２のメモリからＮ（整数）コマの画像を嵌め込み合成した合成画像を取り出してプリントするようにしたものである。
【０００９】プレワインディング方式のカメラで撮影したとの撮影情報を得た場合には、第１のメモリから読み出したビデオ信号を撮像した順と逆に嵌め込み合成し、その合成画像を第２メモリから取り出してプリントする。またフイルム７ｃに対して像の上下方向の向きが逆に撮影されたカメラであるとの撮影情報を得た場合には、第１のメモリから読み出したビデオ信号を、１８０度回転させる画像処理を行った後、写真フイルムに各コマの画像を撮影した順と同じ配列で第２のメモリに書込み、この第２メモリに書き込まれた合成画像を取り出してプリントする。
【００１０】
【実施例】インデックス写真の作成装置の概略を図３に示す。この装置には、フイルム保存用カートリッジ１１を装填する装填室１２が配置されている。このカートリッジ１１に収納されている写真フイルム７はカラーネガフイルム（以下、「ネガフイルム」と称す。）であり、図２に示すように、その幅方向の片縁にパーフォレーション１４が設けられ、また逆縁には磁気記録層１５がフイルム給送方向に沿って帯状に塗布されている。パーフォレーション１４は各コマに応じた位置に１つずつ設けられており、カメラのアパーチャーやプリンタの露光位置等に各コマを位置決めするのに用いられる。磁気記録層１５には、カメラに設けた記録用磁気ヘッド１７で撮影情報が記録される。この撮影情報には、撮影枚数やフイルムの種類の他に、撮影したカメラのフイルム給送方式や装填方式の情報も入っている。・・・。
【００１２】装填室１２には、スプール１１ａを回動させる駆動軸２０が設けられており、この駆動軸２０の駆動によりフイルム送り出し、巻き込みが行われる。送り出されたネガフイルム７は、１対の引き出しローラ２１でさらに送り出される。この送り出しは、ネガフイルム７をそのリーダー側から順に各コマをネガマスク２２の背後に形成した撮像位置にセットするように制御される。撮像位置へのセットは、各コマのパーフォレーション１４を光学的に読み取ることにより正確に位置決めできる。
【００１３】装填室１２と撮像位置との間のフイルム送り出し経路中には、再生用磁気ヘッド２３が設けられている。この再生用磁気ヘッド２３は、ネガフイルム７に記録された撮影情報を読み取り、この情報を磁気情報処理部２４に送る。」（段落【０００７】〜【００１３】）、
　「メモリ３０から読み出した合成画像の信号は、プリンタ系３３に送られる。プリンタ系３３は、制御部３４、カラーのＣＲＴ３５等から構成される。制御部３４は画像信号をＤ／Ａ変換してＣＲＴ３５に送る。このＣＲＴ３５に対向した位置には感光材料、例えばカラーペーパー３７が配置されている。このカラーペーパー３７はペーパー装填室３８でロール状に巻かれており、１対の引き出しローラ３９で間欠的に引き出されて、ペーパーマスク４０の背後に形成された露光位置にセットされる。ＣＲＴ３５と露光位置との間の焼付光路には、焼付レンズ４１が配置され、また焼付レンズ４１と露光位置との間には、シャッタ制御部４２により制御されるシャッタ４２ａが設けられている。なお、カラーのＣＲＴ３５の代わりに、図４に示すように、白黒のＣＲＴ４３を用いてもよい。この場合には、三色のビデオ信号を選択的に取り出すセレクタを備えた制御部４４と、また、焼付光路に赤色、緑色、青色の三式のフィルタ４５ａ〜４５ｂを制御するフィルタ駆動部４５とを用いて加色法面順次露光を行えばよい。」（段落【００１６】）
が記載されている。
　
３．対比・判断
　本願発明と引用文献２に記載された発明を対比すると、引用文献２の「インデックス写真」は、本願発明の「インデックスプリント」に相当するから、両者は、「写真フィルムの画像をマトリクス状に配列して感光材料へ焼付露光してインデックスプリントを作成するインデックスプリント作成方法」という点で一致し、
　本願発明では、「予め定められた前記写真フィルム上の画像が記録されるべき全ての画像コマ領域内の画像情報を用いて作成されるインデックスプリントを構成」というものであるのに対して、引用文献２に記載された発明では、「現像済フイルムに各コマの画像を撮影した順と同じ配列でマトリックス状に配置するようにしたインデックス写真を作成」というものである点（相違点１）、
　本願発明では「作成されるインデックスプリントの各画像に対応して、少なくともプリントの有無を含むプリント情報を記録する」というものであるのに対して、引用文献２に記載された発明ではそのような構成を備えていない点（相違点２）の２点で相違する。
　そこで、上記相違点について検討する。
　相違点１について、
　引用文献２に記載された発明では、インデックスプリントを作成するときに、「予め定められた前記写真フィルム上の画像が記録されるべき全ての画像コマ領域内の画像情報を用いる」という明文としての記載はないが、ネガフィルム上から画像情報を取得するときの位置決めに関して、引用文献２の段落【００１２】には、「ネガフイルム７をそのリーダー側から順に各コマをネガマスク２２の背後に形成した撮像位置にセットするように制御される。撮像位置へのセットは、各コマのパーフォレーション１４を光学的に読み取ることにより正確に位置決めできる。」と記載されている。一方、本願発明の詳細な説明中の段落【００２８】には、「ネガフィルムＮ２には、長手方向に沿って所定に間隔で画像が記録されるべき多数の画像コマ２１２が設けられている。このネガフィルムＮ２は、幅方向の所定の一端に各画像コマ２１２の位置に合わせてパーフォレーション２１４が形成されており、これにより画像コマ２１２の位置を判別することができるようになっている。」と記載されている。
　そして引用文献２の「コマ」は、本願発明の「画像コマ」に相当し、ネガフィルム上の画像コマから画像情報を取得するときの位置決めについて、引用例２に記載された発明は、本願発明の実施例と同様の手法をとっているのであるから、引用文献２に記載された発明において、ネガフィルム上から取得される画像情報は、本願発明と同様のものが得られることは容易に推考できる。
　したがって、引用文献２に記載された発明において、「予め定められた前記写真フィルム上の画像が記録されるべき全ての画像コマ領域内の画像情報」を用いてインデックスプリントを作成する構成とすることは当業者が容易になしうることである。
　相違点２について、
　本願発明の「プリントの有無を含むプリント情報」については、本願発明の詳細な説明中の実施例において、「プリントを作成する場合にリジェクトマーク９９を付与」、「プリントを作成する画像コマ２１２に対して同様のマーク（プリントマーク）を付与」と記載されている。
　ところで、引用文献１には、モニタＴＶに表示されるものではあるが、全コマの画像データに基いて複数コマのインデックス画像を作成し、モニタＴＶに表示されたインデックス画像を見ながら各コマの表示方法を含む設定を行うとき、コマ番号のコマ内に再生時における非表示コマである「ＳＫＩＰ」の文字を表示すること、そしてＲＡＭに記憶された非表示コマのコマ番号を示すデータがクリアされることが記載されている。
　そして、前記した記載の非表示コマを表す「ＳＫＩＰ」の表示は、プリントが作成されないということを表すから、プリントの有無を含む情報であると認められる。よって、この引用文献１に示されるインデックス画像の作成に係る技術思想を引用文献２に記載された発明のインデックスプリントの作成に適用して本願発明のように構成することは当業者が格別困難性を要しないものと認められる。
　結局、この相違点も格別なものではない。
　また、前記各相違点を総合的に検討しても奏される効果は当業者が当然予測できる範囲内のものと認められる。
　
４．むすび
　したがって、本願発明は、引用文献１、２に記載された発明に基づいて当業者が容易に発明をすることができたものであるので特許法第２９条第２項の規定により特許を受けることができない。
　よって、結論のとおり審決する。